(57)【要約】      （修正有）【課題】水中で水が耳穴に入らないようにする耳栓は耳穴を完全に塞いでしまうため、水中から出て、耳栓を装着したままでは、外部の音を通常の聴覚で認識するのが難しい。【解決手段】耳栓１の長手方向に平行に貫通穴２を設け、装着時に水と接触する穴の表面を撥水効果のある目の細かい網状の蓋で覆い被せて耳栓に固定することで、水中では蓋表面の撥水作用で貫通穴に水の流入を防ぎ、水中から出ると、貫通穴を通して外界の音を通常の聴覚で認識することができる。【選択図】図４
2011041818.tif 000002
【特許請求の範囲】
【請求項１】
耳栓本体の長手方向に中空円筒状の貫通穴を設け、装着時に水と接触する貫通穴の入口を撥水加工もしくは撥水材を使用した網状の蓋を被せて固定することで、水中では水の浸入を防ぎ、水中から出ると、網状の蓋の表面の撥水作用によって付着水を撥水して、装着したままでも、通常の聴覚機能を有することができる撥水機能付耳栓装置。
【請求項２】
請求項1の網部分の面積を極端に狭めてピンホールにてなる撥水機能付耳栓装置。
【請求項３】
網状の蓋は取り外しができるセパレート型仕様と一体型仕様がある。
【請求項４】
網状の蓋の材質をより薄くすることによって、水中での聴覚機能を向上させ、水中の音を収集することを可能にする撥水機能付耳栓装置。
【請求項５】
請求項4の蓋の材質をピンホールのある撥水機能を有した膜状にし、かつ、より薄くして、水中聴覚機能が向上する耳栓装置。
【請求項６】
請求項4の蓋の材質を人工鼓膜で代用することでなる耳栓装置。
【請求項７】
請求項6に人工つち骨、人工きぬた骨、人工あぶみ骨をつなぎ合わせて、耳の構造を再現してなる耳栓装置。
【請求項８】
人工鼓膜、人工つち骨、人工きぬた骨、人工あぶみ骨、人工中耳等の一連の耳の内部構造を請求項1の撥水機能付耳栓に内装することで、撥水効果をもつ網状の蓋で撥水し、人工鼓膜を水との直接接触を避け、網状の蓋と人工鼓膜との間に空間をつくる耳栓装置。
【請求項９】
請求項8に人工耳介のひだをつけて音の収集、音の方向感を増進させることによってなる耳栓装置。
【請求項１０】
貫通穴の出口を塞いだ状態の構造をつくり、貫通穴に防水機能のない音響機器等を格納して、水中の音を収集する装置。
【発明の詳細な説明】
【技術分野】
【０００１】
本発明は、水中で使用する耳栓にかかるものである。
【背景技術】
【０００２】
現在、水中で水が耳穴に入らないようにする耳栓は耳穴を完全に塞いでしまうため、水中から出て、耳栓を装着したままでは、外部の音を通常の聴覚で認識するのが難しい。また、水中の音を聞くことも難しい。
【０００３】
この改善策として、耳栓本体の長手方向に中空円筒状の貫通穴を設け、装着時に水と接触する穴の表面を撥水効果のある目の細かい網状の蓋で覆い被せて耳栓に固定することで、水中では蓋表面の撥水作用で貫通穴に水の流入を防ぎ、水中から出ると、網部に付着した水は撥水作用ではじき飛ばされ、貫通穴を通して外界の音を通常の聴覚で認識することができる。一方、水中では、蓋表面が耳の鼓膜の機能を有し、音の収集力が増幅される。蓋表面の材質を変えることで聴覚機能を向上させることができる。言い換えると、耳栓全体を鼓膜、つち骨、きぬた骨、あぶみ骨という耳内部の構造にすることで限りなく、人間の聴覚に近づけることができる。人間以外の動物の構造を耳栓内で再現することでその動物の聞こえ方を表現できる。
【発明の開示】
【発明が解決しようとする課題】
【０００４】
如何にして、水中用耳栓を装着したままでも通常の聴覚機能を維持できるかということである。
【課題を解決するための手段】
【０００５】
耳栓の長手方向に平行に、装着しても通常の聴覚機能を維持できる直径５ミリ前後の穴をあける。装着した時、水と接触する穴の入口を撥水加工した目の細かい網状の蓋で覆い被せて耳栓に固定する構造にする。水中では、蓋表面の撥水作用によって水の流入を防ぐことができ、水中から出ると蓋の網の目の水を跳ねのけることができる。
【発明の効果】
【０００６】
現状で市販されている耳栓は、装着したままでは会話や外界の音を正常に認識することができないが、当耳栓は、通常の聴覚機能で音を認識することができる。水中においても当耳栓を装着することで、水中音を収集し聞くことができる。
【発明を実施するための最良の形態】
【０００７】
本発明の耳栓の材質は基本的に従来のものでよく、耳栓本体の中央部に音を導き入れる貫通穴を設け、その貫通穴を網状の隙間のある蓋で覆い隠すため、貫通穴の壁面と蓋の材質は、若干の力を加えても形状を維持できる軽量の材質が良く、プラスチック等の材質が選択される。また、本体と蓋を一体にして構造の簡単な取り外しのできない一体型仕様、蓋の取り外しが可能な洗浄しやすいセパレート型仕様のどちらも選択することができる。
【０００８】
水中での聴覚機能を向上させるためには、蓋の網部分の材質をより薄くしたり、共鳴しやすい膜状の素材を採用したりして、それにピンホールをつくって聴覚機能の感度を上げることができる。膜は鼓膜をイメージしていて、シルク人工鼓膜を採用することでピンホールをつくらず、本来の音質を忠実に表現できる。鼓膜に接合したつち骨、つち骨に接合したきぬた骨、きぬた骨に接合したあぶみ骨という一連の耳内部の構造につくることで、シルク人工膜で収集した水中音を耳内部に拡張練達して伝えることができる。人間以外の動物も同様で構造を再現することでその動物の聞こえ方を再現することができる。
【０００９】
人工鼓膜、人工つち骨、人工きぬた骨、人工あぶみ骨、人工中耳の空間等の一連の耳の内部構造を請求項1の撥水機能付耳栓に内装することで、撥水効果をもつ網状の蓋で撥水し、人工鼓膜を水との直接接触を避け、網状の蓋と人工鼓膜との間に空間をつくることもできる。網状の蓋の外側に耳介の役目をもつひだをつけることで集音作用、音の方向感に寄与する。
【００１０】
耳栓の貫通穴の出口を塞ぐことで、水の浸入は防止し、音の収集は容易であるという密閉状態を作り出す。その中に音響機器を格納することで、水中の音を簡単に収集することを可能にする。
【実施例１】
【００１１】
図1は、本体と蓋が接合している一体型耳栓の図である。
【実施例２】
【００１２】
図2は、本体と蓋が切り離せるセパレート型耳栓の図である。
【実施例３】
【００１３】
図3は、一体型耳栓の長手方向に断裁した図である。
【実施例４】
【００１４】
図4は、鼓膜、つち骨、きぬた骨、あぶみ骨と耳介の構造をもつ耳栓内の長手方向に断裁した図である。
【産業上の利用可能性】
【００１５】
現在の耳の中に水が流れ込むのを防ぐだけの耳栓に替わって、広く需要があると期待される。
【図面の簡単な説明】
【００１６】
【図１】一体型耳栓の斜め正面図 (実施例１）
【図２】セパレート型耳栓の斜め正面図（実施例2）
【図３】一体型耳栓の断面図（実施例3）
【図４】耳の構造をもつ耳栓の断面図(実施例4)
【符号の説明】
【００１７】
1.     
耳栓
2.     
貫通穴
3.     
本体
4.     
蓋
5.     
網
6.     
シルク人工鼓膜
7.     
人工つち骨、
8.     
人工きぬた骨
9.     
人工あぶみ骨
10.   人工中耳
11.   人工耳介
【図１】
2011041818.tif 000003
【図２】
2011041818.tif 000004
【図３】
2011041818.tif 000005
【図４】
2011041818.tif 000006